(57)【特許請求の範囲】
【請求項１】
電子装置が、ランダムに変更されたグラフィック受信インタフェースを出力し、
前記電子装置が、前記グラフィック受信インタフェース上の複数の接続ポイントを接続するようにタッチすることによってユーザにより入力されたタッチグラフィックを受信し、
前記電子装置が、前記タッチグラフィックにしたがってロックまたはロック解除動作を実行すること、
を含み、
前記電子装置が、ランダムに変更されたグラフィック受信インタフェースを出力することが、前記電子装置が、前記グラフィック受信インタフェース上の前記複数の接続ポイントの位置をランダムに変更した後に、前記変更された位置に接続ポイントを有するグラフィック受信インタフェースを、前記ランダムに変更されたグラフィック受信インタフェースとして出力することを含む、
タッチグラフィックによりロックおよびロック解除する方法。
【請求項２】
前記電子装置が、ランダムに変更されたグラフィック受信インタフェースを出力することは、
前記電子装置が、前記グラフィック受信インタフェースの座標方向をランダムに変更した後、前記変更された座標方向を有するグラフィック受信インタフェースを、前記ランダムに変更されたグラフィック受信インタフェースとして出力することを更に含む、
請求項１に記載のタッチグラフィックによりロックおよびロック解除する方法。
【請求項３】
前記電子装置が、前記グラフィック受信インタフェースをタッチすることによってユーザにより入力されたタッチグラフィックを受信した後に、前記方法は、
前記電子装置が、前記タッチグラフィックを横切るランダム経路を前記グラフィック受信インタフェース上に出力し、
前記電子装置が、前記ランダム経路に沿ったタッチ操作を実行するように前記ユーザに指示するために用いられる第１の指示情報を出力すること、
をさらに含み、
前記電子装置が、前記タッチグラフィックによりロックまたはロック解除動作を実行することは、前記電子装置が、ランダム経路に沿ったタッチ操作をユーザが実行した際に生成されたタッチ信号を受信した後に、前記タッチグラフィックにしたがってロックまたはロック解除動作を実行することを含む、
請求項１又は２に記載のタッチグラフィックによりロックおよびロック解除する方法。
【請求項４】
前記電子装置が、前記グラフィック受信インタフェースをタッチすることによってユーザにより入力されたタッチグラフィックを受信した後に、前記方法は、
前記電子装置が、前記グラフィック受信インタフェースを通過するランダムアニメーションを前記グラフィック受信インタフェース上に出力し、
前記電子装置が、前記ランダムアニメーションが再生されたときに前記ランダムアニメーションに追従してタッチ操作を実行するように前記ユーザに指示するために用いられる第２の指示情報を出力すること、
をさらに含み、
前記電子装置が、前記タッチグラフィックによりロックまたはロック解除動作を実行することは、前記電子装置が、前記ランダムアニメーションに追従した前記タッチ操作を前記ユーザが実行した際に生成されたタッチ信号を受信した後に、タッチグラフィックによりロックまたはロック解除操作を実行することを含む、
請求項１〜３のいずれか一項に記載のタッチグラフィックによりロックおよびロック解除する方法。
【請求項５】
前記電子装置が、前記グラフィック受信インタフェースをタッチすることによってユーザにより入力されたタッチグラフィックを受信した後、前記方法は、
前記電子装置が、前記グラフィック受信インタフェース上の前記タッチグラフィックの痕跡を拭き取るように前記ユーザに指示するために第３の指示情報を出力すること、
をさらに含み、
前記電子装置が、前記タッチグラフィックによりロックまたはロック解除動作を実行することは、前記電子装置が、前記グラフィック受信インタフェース上の前記タッチグラフィックの痕跡を前記ユーザが拭き取った際に生成されたタッチ信号を受信した後に、前記タッチグラフィックにしたがってロックまたはロック解除動作を実行することを含む、
請求項１〜４のいずれか一項に記載のタッチグラフィックによりロックおよびロック解除する方法。
【請求項６】
ランダムに変更されたグラフィック受信インタフェースを出力するように構成されたインタフェース出力モジュールと、
前記グラフィック受信インタフェース上の複数の接続ポイントを接続するようにタッチすることによってユーザにより入力されたタッチグラフィックを受信するように構成された受信モジュールと、
前記タッチグラフィックにしたがってロックまたはロック解除動作を実行するように構成されたロックおよびロック解除モジュールと、
を備え、
前記インタフェース出力モジュールは、前記グラフィック受信インタフェース上の接続ポイントの位置をランダムに変更し、前記グラフィック受信インタフェースを出力するように構成された位置変更部を備える、
タッチグラフィックによりロックおよびロック解除する装置。
【請求項７】
前記インタフェース出力モジュールは、
前記グラフィック受信インタフェースの座標方向をランダムに変更し、前記グラフィック受信インタフェースを出力するように構成された座標変更部を更に備える、請求項６に記載のタッチグラフィックによりロックおよびロック解除する装置。
【請求項８】
前記タッチグラフィックを横切るランダム経路を前記グラフィック受信インタフェース上に出力するように構成された経路出力モジュールと、
前記ランダム経路に沿ってタッチ操作を実行するように前記ユーザに指示するために用いられる第１の指示情報を出力するように構成された第１の指示モジュールと、
を更に備え、
前記ロックおよびロック解除モジュールは、前記ランダム経路に沿って前記タッチ操作を前記ユーザが実行した際に生成されたタッチ信号を受信した後に、前記タッチグラフィックにしたがって前記ロックまたはロック解除動作を実行するようにさらに構成される、
請求項６または７に記載のタッチグラフィックによりロックおよびロック解除する装置。
【請求項９】
前記グラフィック受信インタフェースを通過するランダムアニメーションを前記グラフィック受信インタフェース上に出力するように構成されたアニメーション再生モジュールと、
前記ランダムアニメーションが再生されたときに前記ランダムアニメーションに追従してタッチ操作を実行するように前記ユーザに指示するために用いられる第２の指示情報を出力するように構成された第２の指示モジュールと、
を更に備え、
前記ロックおよびロック解除モジュールは、前記ランダムアニメーションに追従した前記タッチ操作を前記ユーザが実行した際に生成されたタッチ信号を受信した後に、前記タッチグラフィックにしたがって前記ロックまたはロック解除動作を実行するようにさらに構成される、
請求項６〜８のいずれか一項に記載のタッチグラフィックによりロックおよびロック解除する装置。
【請求項１０】
前記グラフィック受信インタフェース上の前記タッチグラフィックの痕跡を拭き取るように前記ユーザに指示する第３の指示情報を出力するように構成された第３の指示モジュールを更に備え、
前記ロックおよびロック解除モジュールは、前記グラフィック受信インタフェース上の前記タッチグラフィックの痕跡を前記ユーザが拭き取った際に生成されたタッチ信号を受信した後に、前記タッチグラフィックにしたがって前記ロックまたはロック解除動作を実行するようにさらに構成される、
請求項６〜９のいずれか一項に記載のタッチグラフィックによりロックおよびロック解除する装置。
【請求項１１】
電子装置が、グラフィック受信インタフェースを出力し、
前記電子装置が、前記グラフィック受信インタフェース上の複数の接続ポイントを接続するようタッチすることによってユーザにより入力されたタッチグラフィックを受信し、
前記電子装置が、前記タッチグラフィックを横切るランダム経路を前記グラフィック受信インタフェース上に出力し、
前記電子装置が、前記ランダム経路に沿ってタッチ操作を実行するように前記ユーザに指示するために用いられる第１の指示情報を出力し、
前記電子装置が、前記ランダム経路に沿った前記タッチ操作を前記ユーザが実行した際に生成されたタッチ信号を受信した後に、前記タッチグラフィックにしたがってロックまたはロック解除動作を実行すること、
を含む、タッチグラフィックによりロックおよびロック解除する方法。
【請求項１２】
電子装置が、グラフィック受信インタフェースを出力し、
前記電子装置が、前記グラフィック受信インタフェース上の複数の接続ポイントを接続するようタッチすることによってユーザにより入力されたタッチグラフィックを受信し、
前記電子装置が、前記グラフィック受信インタフェースを通過するランダムアニメーションを前記グラフィック受信インタフェース上に出力し、
前記電子装置が、前記ランダムアニメーションが再生されるときに前記ランダムアニメーションに追従してタッチ操作を実行するように前記ユーザに指示するために用いられる第２の指示情報を出力し、
前記電子装置が、前記ランダムアニメーションに追従した前記タッチ操作を前記ユーザが実行した際に生成されたタッチ信号を受信した後に、前記タッチグラフィックにしたがってロックまたはロック解除動作を実行すること、
を含む、タッチグラフィックによりロックおよびロック解除する方法。
【請求項１３】
電子装置が、グラフィック受信インタフェースを出力し、
前記電子装置が、前記グラフィック受信インタフェース上の複数の接続ポイントを接続するようタッチすることによってユーザにより入力されたタッチグラフィックを受信し、
前記電子装置が、前記グラフィック受信インタフェース上の前記タッチグラフィックの痕跡を拭き取るように前記ユーザに指示するために第３の指示情報を出力し、
前記電子装置が、前記グラフィック受信インタフェース上の前記タッチグラフィックの痕跡を前記ユーザが拭き取った際に生成されたタッチ信号を受信した後に、前記タッチグラフィックにしたがってロックまたはロック解除動作を実行すること、
を含む、タッチグラフィックによりロックおよびロック解除する方法。
【請求項１４】
ランダムに変更されたグラフィック受信インタフェースを出力するように構成されたインタフェース出力モジュールと、
前記グラフィック受信インタフェース上の複数の接続ポイントを接続するようタッチすることによってユーザにより入力されたタッチグラフィックを受信するように構成された受信モジュールと、
前記タッチグラフィックを横切るランダム経路を前記グラフィック受信インタフェース上に出力するように構成された経路出力モジュールと、
前記ランダム経路に沿ってタッチ操作を実行するように前記ユーザに指示するために用いられる第１の指示情報を出力するように構成された第１の指示モジュールと、
前記ランダム経路に沿って前記タッチ操作を前記ユーザが実行した際に生成されたタッチ信号を受信した後に、前記タッチグラフィックにしたがってロックまたはロック解除動作を実行するように構成されたロックおよびロック解除モジュールと
を備える、タッチグラフィックによりロックおよびロック解除する装置。
【請求項１５】
ランダムに変更されたグラフィック受信インタフェースを出力するように構成されたインタフェース出力モジュールと、
前記グラフィック受信インタフェース上の複数の接続ポイントを接続するようタッチすることによってユーザにより入力されたタッチグラフィックを受信するように構成された受信モジュールと、
前記グラフィック受信インタフェースを通過するランダムアニメーションを前記グラフィック受信インタフェース上に出力するように構成されたアニメーション再生モジュールと、
前記ランダムアニメーションが再生されたときに前記ランダムアニメーションに追従してタッチ操作を実行するように前記ユーザに指示するために用いられる第２の指示情報を出力するように構成された第２の指示モジュールと、
前記ランダムアニメーションに追従して前記タッチ操作を前記ユーザが実行した際に生成されたタッチ信号を受信した後に、前記タッチグラフィックにしたがってロックまたはロック解除動作を実行するように構成されたロックおよびロック解除モジュールと
を備える、タッチグラフィックによりロックおよびロック解除する装置。
【請求項１６】
ランダムに変更されたグラフィック受信インタフェースを出力するように構成されたインタフェース出力モジュールと、
前記グラフィック受信インタフェース上の複数の接続ポイントを接続するようタッチすることによってユーザにより入力されたタッチグラフィックを受信するように構成された受信モジュールと、
前記グラフィック受信インタフェース上の前記タッチグラフィックの痕跡を拭き取るように前記ユーザに指示する第３の指示情報を出力するように構成された第３の指示モジュールと、
前記グラフィック受信インタフェース上の前記タッチグラフィックの痕跡を前記ユーザが拭き取った際に生成されたタッチ信号を受信した後に、前記タッチグラフィックにしたがってロックまたはロック解除動作を実行するように構成されたロックおよびロック解除モジュールと
を備える、タッチグラフィックによりロックおよびロック解除する装置。
【発明の詳細な説明】
【技術分野】
【０００１】
本出願は、「タッチグラフィックによりロックおよびロック解除する方法および装置」と題する、２０１０年１０月２８日に中国専利局に出願された中国特許出願第ＣＮ２０１０１０５２８５８７．５号に対する優先権を主張し、その全体が参照によって本明細書に援用される。
本発明は、エレクトロニクス技術に関し、特に、タッチグラフィック（ｔｏｕｃｈ  ｇｒａｐｈｉｃ）によりロックおよびロック解除するための方法および装置に関する。
【背景技術】
【０００２】
ジェスチャーロックは、タッチスクリーン電子装置上の一般的なユーザ暗号化および復号化モードである。通常、ジェスチャーロック式タッチスクリーンによってユーザに提示されるインタフェースは、９つの正方形グリッドに似たグラフィック受信インタフェースであり、グラフィック受信インタフェースは、いくつかのポイントから構成されていてもよい。電子装置の暗号化情報を用いたり、電子装置のタッチスクリーンを開いたりするために、まず、ユーザは、ジェスチャーロック式タッチスクリーンのグラフィック受信インタフェース上でユーザが予め設定したポイントを接続してタッチグラフィックを形成し、電子装置は、タッチグラフを検証した後、ユーザに対して情報を提供するか、または電子装置のタッチスクリーンを開く。タッチグラフィックは、グラフィック受信インタフェース上で指またはスタイラスペンをスライドして複数のポイントを接続することにより、ユーザによって生成されたグラフィックを指す。
【０００３】
ジェスチャーロック式タッチスクリーンのアプリケーションは、手動で文字パスワードを入力する従来の暗号化および復号化モードに取って代わるものであり、タッチスクリーン電子装置の簡易で使いやすい機能を十分に発揮させる。例えば、ユーザが暗号化情報またはタッチスクリーン上にジェスチャーロックをかける場合、図９に示されるように、ユーザは、９つの正方形グリッドに似たグラフィック受信インタフェース上の数ポイントを接続して、大文字の「Ｚ」のタッチグラフィックを形成する。図９の円は、ポイントを示し、矢印は、タッチスクリーン上で指またはスタイラスペンによってなされたスライド方向およびスライドの痕跡を示し、スライドの痕跡はいくつかのポイントを接続して大文字の「Ｚ」のタッチグラフィックを形成する。ユーザがその後暗号化情報またはタッチスクリーンをロック解除する必要がある場合、同様に、ユーザは、いくつかの対応するポイントを接続してタッチスクリーン上のグラフィック受信インタフェースで形状「Ｚ」を形成する必要があり、それによって、暗号化情報またはタッチスクリーンを開く。
【０００４】
現在、電子装置でのジェスチャーロックは、広く適用されている。しかしながら、ユーザがタッチスクリーン上でロックまたはロック解除を行なう場合、必然的に、タッチスクリーン上に指の汗や油脂の明瞭な痕跡が残る可能性がある。別のユーザが少し注意を払えば、タッチスクリーン上のその痕跡にしたがってジェスチャーロックを容易にロック解除してしまうかもしれず、それはユーザの個人情報のセキュリティを脅かし、したがって、タッチグラフィックによるロックまたはロック解除のセキュリティを低下させる。
【発明の概要】
【発明が解決しようとする課題】
【０００５】
本発明は、タッチグラフィックによりロックまたはロック解除する際のセキュリティを向上させるための、タッチグラフィックによりロックおよびロック解除する方法および装置を提供する。
【課題を解決するための手段】
【０００６】
本発明は、
ランダムに変更されたグラフィック受信インタフェースを出力し、
グラフィック受信インタフェースをタッチすることによってユーザにより入力されたタッチグラフィックを受信し、
タッチグラフィックにしたがってロックまたはロック解除動作を実行し
を含む、タッチグラフィックによりロックおよびロック解除する方法を提供する。
【０００７】
本発明は、
ランダムに変更されたグラフィック受信インタフェースを出力するように構成されたインタフェース出力モジュールと、
グラフィック受信インタフェースをタッチすることによってユーザにより入力されたタッチグラフィックを受信するように構成された受信モジュールと、
タッチグラフィックにしたがってロックまたはロック解除動作を実行するように構成されたロックおよびロック解除モジュールと、
を含む、タッチグラフィックによりロックおよびロック解除する装置を提供する。
【０００８】
本発明の実施形態による、タッチグラフィックによりロックおよびロック解除するための方法および装置を用いることによって、ユーザがタッチグラフィックによりロックまたはロック解除を実行する際、タッチスクリーンを有する電子装置は、ユーザに対してランダムに変更されたグラフィック受信インタフェースを提供し、グラフィック受信インタフェースを通じてユーザによって入力されるタッチグラフィックはその都度、異なる位置に配置される。タッチスクリーン上の痕跡によって形成されたタッチグラフィックが、ロックされたときに設定されたタッチグラフィックと同一であるという確率は極めて小さいので、ロックまたはロック解除のセキュリティが向上する。
【０００９】
本発明は更に、
グラフィック受信インタフェースを出力し、
グラフィック受信インタフェースをタッチすることによってユーザにより入力されたタッチグラフィックを受信し、
タッチグラフィックを横切るランダム経路をグラフィック受信インタフェース上に出力し、
ランダム経路に沿ってタッチ操作を実行するようにユーザに指示するために用いられる第１の指示情報を出力し、
ランダム経路に沿ったタッチ操作をユーザが実行した際に生成されたタッチ信号を受信した後に、タッチグラフィックにしたがってロックまたはロック解除動作を実行すること
を含む、タッチグラフィックによりロックおよびロック解除する方法を提供する。
【００１０】
本発明は更に、
ランダムに変更されたグラフィック受信インタフェースを出力するように構成されたインタフェース出力モジュールと、
グラフィック受信インタフェースをタッチすることによってユーザにより入力されたタッチグラフィックを受信するように構成された受信モジュールと、
タッチグラフィックを横切るランダム経路をグラフィック受信インタフェース上に出力するように構成された経路出力モジュールと、
ランダム経路に沿ってタッチ操作を実行するようにユーザに指示するために用いられる第１の指示情報を出力するように構成された第１の指示モジュールと、
ランダム経路に沿ってタッチ操作をユーザが実行した際に生成されたタッチ信号を受信した後に、タッチグラフィックにしたがってロックまたはロック解除動作を実行するように構成されたロックおよびロック解除モジュールと
を含む、タッチグラフィックによりロックおよびロック解除する装置を提供する。
【００１１】
本発明の実施形態による、タッチグラフィックによりロックおよびロック解除するための方法および装置を用いることによって、ユーザがタッチグラフィックによりロックまたはロック解除を実行する際に、タッチスクリーンを有する電子装置は、固定された接続ポイントを有するグラフィック受信インタフェースをユーザに提供し、その後、ユーザがタッチグラフィックを入力した後、電子装置は、ユーザに対してタッチグラフィックと共通のポイントを有するランダム経路をグラフィック受信インタフェース上に出力し、タッチスクリーン上のランダム経路に沿ってタッチ操作を実行するようにユーザに指示する。電子装置は、ユーザがタッチスクリーン上のランダム経路に沿ったタッチ操作を実行するときに生成されたタッチ信号を受信した後のみ、ロックまたはロック解除動作を実行する。これにより、ユーザがタッチグラフィックを入力したときにタッチスクリーン上に残された痕跡を除去することをユーザに強制し、タッチグラフィックによりロックまたはロック解除する際のセキュリティを向上させる。
【００１２】
本発明は更に、
グラフィック受信インタフェースを出力し、
グラフィック受信インタフェースをタッチすることによってユーザにより入力されたタッチグラフィックを受信し、
グラフィック受信インタフェースを通過するランダムアニメーションをグラフィック受信インタフェース上に出力し、
ランダムアニメーションが再生される際にランダムアニメーションに追従してタッチ操作を実行するようにユーザに指示するために用いられる第２の指示情報を出力し
ランダムアニメーションに追従したタッチ操作をユーザが実行したときに生成されたタッチ信号を受信した後に、タッチグラフィックにしたがってロックまたはロック解除動作を実行すること、
を含む、タッチグラフィックによりロックおよびロック解除する方法を提供する。
【００１３】
本発明は更に、
ランダムに変更されたグラフィック受信インタフェースを出力するように構成されたインタフェース出力モジュールと、
グラフィック受信インタフェースをタッチすることによってユーザにより入力されたタッチグラフィックを受信するように構成された受信モジュールと、
グラフィック受信インタフェースを通過するランダムアニメーションをグラフィック受信インタフェース上に出力するように構成されたアニメーション再生モジュールと、
ランダムアニメーションが再生される際にランダムアニメーションに追従してタッチ操作を実行するようにユーザに指示するために用いられる第２の指示情報を出力するように構成された、第２の指示モジュールと、
ランダムアニメーションに追従してタッチ操作をユーザが実行したときに生成されたタッチ信号を受信した後に、タッチグラフィックにしたがってロックまたはロック解除動作を実行するように構成されたロックおよびロック解除モジュールと
を含む、タッチグラフィックによりロックおよびロック解除する装置を提供する。
【００１４】
本発明の実施形態による、タッチグラフィックによりロックおよびロック解除するための方法および装置を用いることによって、ユーザがタッチグラフィックによりロックまたはロック解除を実行するときに、タッチスクリーンを有する電子装置は、固定された接続ポイントを有するグラフィック受信インタフェースをユーザに提供する。ユーザがタッチグラフィックを入力した後、電子装置は、さらに、ユーザに対してグラフィック受信インタフェースを通過するランダムアニメーションをグラフィック受信インタフェース上に出力し、ランダムアニメーションが再生される際にランダムアニメーションに追従してタッチ操作を実行するようにユーザに指示する。電子装置は、タッチスクリーン上のランダムアニメーションに追従してユーザがタッチ操作を実行するときに生成されたタッチ信号を受信した後にのみ、ロックまたはロック解除動作を実行する。これにより、ユーザがタッチグラフィックを入力した際にタッチスクリーン上に残された痕跡を除去することをユーザに強制し、タッチグラフィックによりロックまたはロック解除する際のセキュリティを向上させる。
【００１５】
本発明は更に、
グラフィック受信インタフェースを出力し、
グラフィック受信インタフェースをタッチすることによってユーザにより入力されたタッチグラフィックを受信し、
タッチスクリーン上のタッチグラフィックの痕跡を拭き取るようにユーザに指示するために第３の指示情報を出力し、
タッチスクリーン上のタッチグラフィックの痕跡をユーザが拭き取った際に生成されたタッチ信号を受信した後、タッチグラフィックにしたがってロックまたはロック解除動作を実行すること、
を含む、タッチグラフィックによりロックおよびロック解除する方法を提供する。
【００１６】
本発明は更に、
ランダムに変更されたグラフィック受信インタフェースを出力するように構成されたインタフェース出力モジュールと、
グラフィック受信インタフェースをタッチすることによってユーザにより入力されたタッチグラフィックを受信するように構成された受信モジュールと、
タッチスクリーン上のタッチグラフィックの痕跡を拭き取るようにユーザに指示するための第３の指示情報を出力するように構成された第３の指示モジュールと、
タッチスクリーン上のタッチグラフィックの痕跡をユーザが拭き取った際に生成されたタッチ信号を受信した後に、タッチグラフィックにしたがってロックまたはロック解除動作を実行するように構成されたロックおよびロック解除モジュールと
を含む、タッチグラフィックによりロックおよびロック解除する装置を提供する。
【００１７】
本発明の実施形態による、タッチグラフィックによりロックおよびロック解除する方法および装置を用いることによって、ユーザがタッチグラフィックによりロックまたはロック解除を実行するときに、タッチスクリーンを有する電子装置は、固定された接続ポイントを有するグラフィック受信インタフェースをユーザに提供する。その後、ユーザがタッチグラフィックを入力した後、電子装置は、タッチスクリーン上のタッチグラフィックの痕跡を積極的に拭き取るようにユーザに指示するために、グラフィック受信インタフェース上に第３の指示情報を出力する。タッチスクリーン上のタッチ操作をユーザが実行した際に生成されたタッチ信号を受信した後にのみ、電子装置は、ロックまたはロック解除動作を実行する。これにより、ユーザがタッチグラフィックを入力した際にタッチスクリーン上に残された痕跡を除去することをユーザに強制し、タッチグラフィックによりロックまたはロック解除する際のセキュリティを向上させる。
【００１８】
本発明の実施形態による、または従来技術における技術的解決手段をより明確に示すために、実施形態または従来技術の記述のために必要な添付の図面が、以下に簡潔に紹介される。明らかに、以下の説明における添付の図面は、本発明のいくつかの実施形態に過ぎず、当業者は、創造的な努力をすることなく、これらの添付の図面にしたがって他の図面をさらに得ることができる。
【図面の簡単な説明】
【００１９】
【図１Ａ】本発明の第１の実施形態による、タッチグラフィックによりロックおよびロック解除する方法のフローチャートである。
【図１Ｂ】本発明の第２の実施形態による、タッチグラフィックによりロックおよびロック解除する方法のフローチャートである。
【図１Ｃ】本発明の第３の実施形態による、タッチグラフィックによりロックおよびロック解除する方法のフローチャートである。
【図２Ａ】本発明の第４の実施形態による、タッチグラフィックによりロックおよびロック解除する方法のフローチャートである。
【図２Ｂ】本発明の第４の実施形態による、タッチグラフィックによりロックおよびロック解除する方法におけるグラフィック受信インタフェースの概略図である。
【図２Ｃ】本発明の第４の実施形態による、タッチグラフィックによりロックおよびロック解除する方法におけるグラフィック受信インタフェースの別の概略図である。
【図２Ｄ】本発明の第４の実施形態による、タッチグラフィックによりロックおよびロック解除する方法におけるグラフィック受信インタフェースの別の概略図である。
【図３Ａ】本発明の第５の実施形態による、タッチグラフィックによりロックおよびロック解除する方法のフローチャートである。
【図３Ｂ】本発明の第５の実施形態による、タッチグラフィックによりロックおよびロック解除する方法におけるグラフィック受信インタフェースの概略図である。
【図４】本発明の第１の実施形態による、タッチグラフィックによりロックおよびロック解除する装置の概略構成図である。
【図５】本発明の第２の実施形態による、タッチグラフィックによりロックおよびロック解除する装置の概略構成図である。
【図６】本発明の第３の実施形態による、タッチグラフィックによりロックおよびロック解除する装置の概略構成図である。
【図７】本発明の第４の実施形態による、タッチグラフィックによりロックおよびロック解除する装置の概略構成図である。
【図８】本発明の第５の実施形態による、タッチグラフィックによりロックおよびロック解除する装置の概略構成図である。
【図９】従来技術における、タッチグラフィックによりロックおよびロック解除する方法におけるグラフィック受信インタフェースの概略図である。
【図１０Ａ】本発明の第６の実施形態による、タッチグラフィックによりロックおよびロック解除する方法のフローチャートである。
【図１０Ｂ】本発明の第７の実施形態による、タッチグラフィックによりロックおよびロック解除する方法のフローチャートである。
【図１０Ｃ】本発明の第８の実施形態による、タッチグラフィックによりロックおよびロック解除する方法のフローチャートである。
【図１１Ａ】本発明の第６の実施形態による、タッチグラフィックによりロックおよびロック解除する装置の概略構成図である。
【図１１Ｂ】本発明の第６の実施形態による、タッチグラフィックによりロックおよびロック解除する装置の概略構成図である。
【図１１Ｃ】本発明の第６の実施形態による、タッチグラフィックによりロックおよびロック解除する装置の概略構成図である。
【発明を実施するための形態】
【００２０】
本発明の実施形態の目的、技術的解決手段および有利性をさらに明確にするために、本発明の実施形態によって提供される技術的解決手段を、添付の図面を参照しながら以下に明確且つ十分に説明する。明らかに、記述された実施形態は、本発明のすべての実施形態ではなく、本発明のいくつかの例示的な実施形態に過ぎない。構造的な努力をすることなく、本発明の実施形態に基づいて当業者によって得られる他のすべての実施形態は、本発明の保護範囲の範囲内に当然含まれる。
【００２１】
図１Ａは、本発明の第１の実施形態によるタッチグラフィックによりロックおよびロック解除する方法のフローチャートである。この実施形態における実行主体は、タッチスクリーンを有する電子装置または電子装置内の中央処理装置ＣＰＵであってもよい。タッチスクリーンを有する電子装置は、タッチスクリーンを有する携帯電話、タッチスクリーンを有するノート型コンピュータ、またはタッチスクリーンを有するデジタルカメラなどの電子装置であってもよい。図１Ａに示されるように、この実施形態による、タッチグラフィックによりロックおよびロック解除する方法は、以下のステップを含む。
【００２２】
ステップ１１：ランダムに変更されたグラフィック受信インタフェースを出力する。
【００２３】
通常、グラフィック受信インタフェースには、複数のポイントが備わっている。ユーザは、タッチグラフィックを形成するために、タッチすることによってグラフィック受信インタフェース上の複数のポイントを接続する。グラフィック受信インタフェース上の複数のポイントは、９つの正方形グリッドの形状で配置されてもよい。すなわち、９つのポイントは、各列に３ポイントを有する３つの列に配置される。もちろん、グラフィック受信インタフェース上の複数のポイントは他の形状で配置されてもよいし、ポイントの数は、要件にしたがって設定されてもよい。
【００２４】
タッチスクリーンを通じてユーザに対してグラフィック受信インタフェースを出力する前に、電子装置は、まずグラフィック受信インタフェースをランダムに変更する。例えば、グラフィック受信インタフェースの座標方向またはグラフィック受信インタフェース上に提供される複数のポイントの配置置がランダムに変更されるか、または、グラフィック受信インタフェースの座標方向および複数のポイントの配置位置が同時にランダムに変更される。グラフィック受信インタフェースがランダムに変更されるので、ユーザがタッチグラフィックを入力する位置および／または方向は、グラフィック受信インタフェースに応じて変化する。グラフィック受信インタフェースを通じて以前に入力されたタッチグラフィックが、現在のグラフィック受信インタフェースによって必要とされるタッチグラフィックと一致するという確率は極めて小さい。
【００２５】
ステップ１２：グラフィック受信インタフェースをタッチすることによってユーザにより入力されたタッチグラフィックを受信する。
【００２６】
暗号化情報またはタッチスクリーンをロックする場合、ユーザは、電子装置によって提供されたグラフィック受信インタフェースを通じてタッチグラフィックを入力する。タッチグラフィックを受信した後、電子装置は、ユーザによって入力されたタッチグラフィックを格納し、それを、ユーザＩＤを検証するためのタッチグラフィックとして設定する。ユーザが電子装置内の暗号化情報を用いる必要があるか、またはタッチスクリーンを開く必要がある場合、ユーザは、電子装置によって提供されたグラフィック受信インタフェースを通じて、ロックを実行するときに設定されたタッチグラフィックを入力して、ユーザＩＤの検証を電子装置に要求する。
【００２７】
ユーザがタッチすることによってタッチグラフィックを形成するためにタッチスクリーン上の複数のポイントを接続した後には、タッチスクリーンの表面上に痕跡が形成される。したがって、別のユーザがタッチスクリーン上の痕跡の経路および方向にしたがってタッチグラフィックを復号するかもしれず、暗号化情報が危険な状態となる。タッチの痕跡がロック用のグラフィックを暴露してしまうかもしれないケースを回避するために、ステップ１１において、ユーザがロックまたはロック解除を実行する都度、電子装置は、ユーザに対するグラフィック受信インタフェース出力をランダムに変更する。例えば、グラフィック受信インタフェースの座標方向がランダムに変更される、および／または、グラフィック受信インタフェース上の複数のポイントの配置位置がランダムに変更される。
【００２８】
ステップ１３：タッチグラフィックにしたがってロックまたはロック解除動作を実行する。
【００２９】
暗号化情報をロックする、またはタッチスクリーンをロックするプロセスにおいて、グラフィック受信インタフェースを通じてユーザによって入力されたタッチグラフィックを受信した後、電子装置は、タッチグラフィックを記憶し、タッチグラフィックにしたがって暗号化情報又はタッチスクリーンをロックする。暗号化情報をロック解除する、またはタッチスクリーンをロック解除するプロセスにおいて、グラフィック受信インタフェースを通じてユーザによって入力されたタッチグラフィックを受信した後、電子装置は、記憶されたタッチグラフィックに対してユーザによって入力されたタッチグラフィックを検証する。２つが同一の場合、ユーザは、身元検証をパスする。すなわち、ロック解除が成功し、ユーザは通常通り、暗号化情報またはタッチスクリーンを用いることができる。
【００３０】
本発明の実施形態による、タッチグラフィックによりロックおよびロック解除する方法を用いることによって、ユーザがタッチグラフィックによりロックまたはロック解除を実行する場合に、タッチスクリーンを有する電子装置は、ユーザに対してランダムに変更されたグラフィック受信インタフェースを提供し、グラフィック受信インタフェースを通じてユーザによって入力されるタッチグラフィックは、そのたびに異なる位置に配置される。タッチスクリーン上の痕跡により形成されたタッチグラフィックが、ロックされたときに設定されたタッチグラフィックと同一であるという確率は極めて小さいので、ロックまたはロック解除のセキュリティが向上する。ユーザは、ロックおよびロック解除のプロセスにおいてタッチすることによってタッチスクリーン上にタッチグラフィックを形成する必要があるので、痕跡がタッチスクリーン上に残される可能性がある。上記の方法は、不法なユーザが、タッチスクリーン上の痕跡にしたがって、ロックの間に設定されたタッチグラフィックを復号する、またはロック解除する間に入力されたタッチグラフィックを復号することを防止する。したがって、この実施形態によって提供された技術的解決手段は、タッチグラフィックによりロックするプロセスにおけるセキュリティを向上させ、ロック解除のプロセスにおけるセキュリティを向上させることができる。
【００３１】
タッチグラフィックによりロックまたはロック解除する際のセキュリティをさらに向上させるために、他の実施形態において、ユーザは、タッチスクリーン上に残された痕跡を除去または隠滅するように強制されてもよい。例えば、ステップ１２およびステップ１３との間に、電子装置は、タッチグラフィックを形成するために複数のポイントを接続した際にタッチスクリーン上に形成された痕跡を積極的に拭き取るようにユーザに指示するためにグラフィック受信インタフェース上に第３の指示情報をさらに出力してもよい。そして、タッチスクリーン上のタッチグラフィックの痕跡をユーザが拭き取った際に生成されたタッチ信号を受信した後、電子装置は、タッチグラフィックにしたがってロックまたはロック解除動作を実行する。または、電子装置は、タッチスクリーン上の痕跡を拭き取るようにユーザに命じるための他の方法を用いてもよく、ユーザが指示されたタッチ操作を実行した後にのみ、電子装置は、ロックまたはロック解除動作を実行する。
【００３２】
本発明の第２の実施形態は、タッチスクリーン上に残された痕跡を除去または隠滅することをユーザに強制する方法を提供する。タッチスクリーン上に残された痕跡を除去または隠滅することをユーザに強制する方法は、上記の実施形態におけるステップ１２とステップ１３との間に適用されてもよい。図１Ｂに示されるように、タッチスクリーン上に残された痕跡を除去または隠滅することをユーザに強制する方法は、以下のステップを含む。
【００３３】
ステップ１Ｂ１：タッチグラフィックを横切るランダム経路をグラフィック受信インタフェース上に出力する。
【００３４】
ステップ１Ｂ２：ランダム経路に沿ったタッチ操作を実行するようにユーザに指示するために用いられる第１の指示情報を出力する。
【００３５】
タッチグラフィックにしたがってロックまたはロック解除動作を実行するステップ１３の前に、電子装置は、グラフィック受信インタフェース上にランダム経路を出力し、ランダム経路に沿ったタッチ操作を実行するようにユーザに指示する第１の指示情報を出力する。ランダム経路はタッチグラフィックを横切っているので、ユーザがタッチスクリーン上のランダム経路に沿ったタッチ操作を実行した後、タッチグラフィックが入力された際にタッチスクリーン上に残された痕跡は、除去または隠滅されることができる。ユーザが第１の指示情報によるタッチスクリーン上のランダム経路に沿ったタッチ操作を実行した後、電子装置はステップ１３を実行する。
【００３６】
本発明の第３の実施形態は、タッチスクリーン上に残された痕跡を除去または隠滅することをユーザに強制する別の方法を提供する。タッチスクリーン上に残された痕跡を除去または隠滅することをユーザに強制する方法は、上記の実施形態におけるステップ１２とステップ１３との間に適用されてもよい。図１Ｃに示されるように、タッチスクリーン上に残された痕跡を除去または隠滅することをユーザに強制する方法は、以下のステップを含む。
【００３７】
ステップ１Ｃ１：グラフィック受信インタフェースを通過するランダムアニメーションをグラフィック受信インタフェース上に出力する。
【００３８】
ステップ１Ｃ２：ランダムアニメーションが再生される際に、ランダムアニメーションに追従してタッチ操作を実行するようにユーザに指示するために用いられる第２の指示情報を出力する。
【００３９】
図１Ｃと図１Ｂとの間の差は、図１Ｂにおいて、グラフィック受信インタフェース上にランダム経路が出力された後、ランダム経路は不変であることに対して、図１Ｃにおいては、グラフィック受信インタフェース上に出力されたランダムアニメーションが再生される点である。ユーザがランダムアニメーションに追従してタッチスクリーン上のグラフィック受信インタフェース上を指によりスライドする際に、ランダムアニメーションがグラフィック受信インタフェースを通過するので、タッチグラフィックを形成するために複数のポイントが接続された際にタッチスクリーン上に残された痕跡は、除去または隠滅されることができる。ユーザが第２の指示情報にしたがってランダムアニメーションに追従してタッチスクリーン上のグラフィック受信インタフェース上を指によりスライドした後、電子装置はステップ１３を実行する。
【００４０】
本発明の実施形態による、タッチグラフィックによりロックおよびロック解除する方法を用いることによって、ユーザがタッチグラフィックによりロックまたはロック解除を実行する場合に、タッチスクリーンを有する電子装置は、ユーザに対してランダムに変更されたグラフィック受信インタフェースを提供し、グラフィック受信インタフェースを通じてユーザによって入力されるタッチグラフィックは、そのたびに異なる位置および／または方向に配置される。その結果、タッチスクリーン上の痕跡によって形成されたタッチグラフィックが、ロックされたときに設定されたタッチグラフィックと同一であるという確率は極めて小さいので、ロックまたはロック解除のセキュリティを向上させる。さらに、ユーザがタッチグラフィックを入力した後、電子装置は、ユーザに対してランダム経路またはランダムアニメーションをグラフィック受信インタフェース上に出力し、ランダム経路に沿って、またはタッチスクリーン上のランダムアニメーションに追従して、タッチ操作を実行するようにユーザに指示してもよい。これにより、タッチグラフィックが入力された際にタッチスクリーン上に残された痕跡を除去または隠滅し、さらに、タッチスクリーン上の痕跡によって形成されたタッチグラフィックを明らかにしないようにする。
【００４１】
図２Ａは、本発明の第４の実施形態による、タッチグラフィックによりロックおよびロック解除する方法のフローチャートである。図２Ｂは、本発明の第４の実施形態による、タッチグラフィックによりロックおよびロック解除する方法におけるグラフィック受信インタフェースの概略図である。図２Ｃは、本発明の第４の実施形態による、タッチグラフィックによりロックおよびロック解除する方法におけるグラフィック受信インタフェースの別の概略図である。そして、図２Ｄは、本発明の第４の実施形態による、タッチグラフィックによりロックおよびロック解除する方法におけるグラフィック受信インタフェースの別の概略図である。タッチグラフィックによりロックおよびロック解除するプロセスは、基本的に同様である。この実施形態において、ロック解除のプロセスが、セキュリティを向上させる方法の例として説明されるが、ロックのプロセスにおける動作は同様であり、本明細書において繰り返して説明されない。図２Ａに示されるように、この実施形態によるタッチグラフィックによりロックおよびロック解除する方法は、以下のステップを含む。
【００４２】
ステップ２１：グラフィック受信インタフェースの座標方向をランダムに変更し、グラフィック受信インタフェースを出力する。
【００４３】
グラフィック受信インタフェースの座標方向が変更された後には、したがって、グラフィック受信インタフェース上でポイントによって形成されたタッチグラフィックの方向もまた、変更される。例えば、ロックまたはロック解除が実行される都度、「正方向」表示がランダムに生成される。図２Ｂに示されるように、グラフィック受信インタフェースの右下隅の矢印方向は、方向が「正方向」であることをユーザに指示し、矢印によって示された方向が「正方向」として設定されてもよい。ロック解除のプロセスにおいて、タッチグラフィックは、ユーザが「正方向」にしたがってポイントを接続する場合にのみ、ロックする間にポイントを接続することによって形成されたものと同一でありうる。したがって、グラフィック受信インタフェースの座標方向がランダムに変更される場合に、タッチスクリーン上に残された痕跡にしたがってポイントを接続することによって形成されたタッチグラフィックが、ロックする間に予め設定されたタッチグラフィックと同一である確率は、極めて小さい。
【００４４】
ステップ２２：グラフィック受信インタフェースをタッチすることによってユーザにより入力されたタッチグラフィックを受信する。
【００４５】
ステップ２３：タッチグラフィックを横切るランダム経路をグラフィック受信インタフェース上に出力する。
【００４６】
電子装置は、ステップ２２において入力されたタッチグラフィックを横切るランダム経路をグラフィック受信インタフェース上に出力する。本明細書において横切るは、ランダム経路がステップ２２において入力されたタッチグラフィックと１つ以上の共通のポイントを有するということであってもよい。
【００４７】
ステップ２４：ランダム経路に沿ったタッチ操作を実行するようにユーザに指示するために用いられる第１の指示情報を出力する。
【００４８】
電子装置は、ランダム経路に沿ったタッチ操作を実行するようにユーザに指示するために、グラフィック受信インタフェース上に第１の指示情報を出力する。
【００４９】
グラフィック受信インタフェースによって示されたランダム経路上のいくつかのポイントは、タッチグラフィックを形成するいくつかの接続ポイントと重なる。したがって、ユーザがタッチスクリーン上のランダム経路に沿ったタッチ操作を実行した後、ユーザがタッチグラフィックを形成するために複数のポイントを接続した際に残された痕跡は、除去されることができる。さらに、グラフィック受信インタフェースによって出力されたランダム経路は、ランダムに変更される。したがって、ユーザがタッチグラフィックを形成するために複数のポイントを接続した後に毎回、除去動作を実行するためのランダム経路が同一である確率は極めて小さい。これによって、タッチスクリーン上の痕跡にしたがってタッチグラフィックを形成するために複数のポイントを接続することによってロック解除することから生じる情報の危険性の問題を効果的に回避する。
【００５０】
図２Ｃに示されるように、ユーザが細い矢印に沿って「Ｚ」字のタッチグラフィックを繋ぐと、ロック解除の痕跡Ａ→Ｂ→Ｃ→Ｅ→Ｇ→Ｈ→Ｉが形成され、その後、４つポイントのＣ、Ｅ、Ｆ、およびＩが、ランダム経路としてグラフィック受信インタフェース上で強調される。同時に、ロック解除操作を完了するために太い矢印に沿って４つのポイントを引き続き繋ぐようにユーザに指示するために指示情報が出力される。グラフィック受信インタフェース上の強調された４ポイントのうちの３つのポイント（Ｃ、Ｅ、およびＩ）は、「Ｚ」のタッチグラフィック上の３つのポイント（Ｃ、Ｅ、およびＩ）と重なる。すなわち、３つのポイントＣ、Ｅ、およびＩは、タッチグラフィックおよびランダム経路の共通ポイントである。ユーザは、新しいロック解除の痕跡Ｉ→Ｆ→Ｅ→Ｃを形成するために、太い矢印に沿って４つのポイントを引き続き繋ぎ、新しいロック解除の痕跡（Ｉ→Ｆ→Ｅ→Ｃ）および最初のロック解除の痕跡（Ａ→Ｂ→Ｃ→Ｅ→Ｇ→Ｈ→Ｉ）は、最終的なロック解除の痕跡（Ａ−Ｂ−Ｃ−Ｅ−Ｆ−Ｉ−Ｈ−Ｇ−ＥまたはＡ−Ｂ−Ｃ−Ｅ−Ｇ−Ｈ−Ｉ−Ｆ−Ｅ）を形成し、これによって最初のロック解除の痕跡を隠滅する。グラフィック受信インタフェース上の強調された４ポイントは、ユーザがロックまたはロック解除する度毎に、中央処理装置によってランダムに生成され、変更されるので、セキュリティが向上する。
【００５１】
ステップ２３において、ユーザによって繋がれたタッチグラフィックと共通のポイントを有するランダム経路に加えて、グラフィック受信インタフェースを通過するランダムアニメーションも出力されてもよい。ユーザがタッチグラフィックを形成するために複数のポイントを接続した後、図２Ｄに示されるように、電子装置がロックまたはロック解除を実行する前（ステップ２５の前）に、以下の１ステップが追加される。すなわち、ステップ２６：グラフィック受信インタフェース上でランダムアニメーションを再生し、ランダムアニメーションに再生従って、タッチスクリーン上でランダムアニメーションを指でタッチし、スライドするようにユーザに指示する指示情報を出力する。ランダムアニメーションの再生が完了した後、ステップ２５においてロックまたはロック解除動作が実行される。ステップ２６と、ステップ２２および２３とは両立してもよく、その実行順は限定されない。または、この実施形態において、ステップ２２および２３を、ステップ２６で置換してもよい。ユーザは、図２Ｃおよび図２Ｄに示されるモードにおいてタッチスクリーンを拭き取ることを強制されてもよく、それによって、ユーザがタッチグラフィックを形成するために複数のポイントを接続した際にタッチスクリーン上に残された痕跡を除去または隠滅する。
【００５２】
ステップ２５：ランダム経路に沿ったタッチ操作をユーザが実行するときに生成されたタッチ信号を受信した後、タッチグラフィックにしたがってロックまたはロック解除動作を実行する。
【００５３】
電子装置が第１の指示情報を出力した後、ステップ２２においてタッチグラフィックを形成するために複数のポイントを接続した際にタッチスクリーン上に残された痕跡が除去または隠滅されたことを示す、ランダム経路に沿ったタッチ操作をユーザが実行するときに生成されたタッチ信号が受信された場合、電子装置は、ステップ２２において入力されたタッチグラフィックにしたがってロックまたはロック解除動作を実行する。
【００５４】
本発明の実施形態による、タッチグラフィックによりロックおよびロック解除する方法を用いることによって、ユーザがタッチグラフィックによりロックまたはロック解除を実行する場合に、タッチスクリーンを有する電子装置は、ユーザに対してランダムに変更された座標方向を有するグラフィック受信インタフェースを提供し、グラフィック受信インタフェースを通じてユーザによって入力されたタッチグラフィックは、その度に異なる方向であり、その結果、タッチスクリーン上の痕跡によって形成されたタッチグラフィックが、ロックされたときに設定されたタッチグラフィックと同一である確率は極めて小さいので、ロックまたはロック解除のセキュリティが向上する。さらに、ユーザがタッチグラフィックを入力した後、電子装置は、ユーザに対してタッチグラフィックに共通するポイントを有するランダム経路をもグラフィック受信インタフェース上に出力し、タッチスクリーン上のランダム経路に沿って、タッチ操作を実行するようにユーザに指示してもよい。そして、電子装置は、タッチスクリーン上のランダム経路に沿ったタッチ操作をユーザが実行した際に生成されたタッチ信号を受信した後のみ、ロックまたはロック解除動作を実行することで、タッチグラフィックが入力された際にタッチスクリーン上に残された痕跡を除去することをユーザに強制して、タッチグラフィックによりロックまたはロック解除する際のセキュリティをさらに向上させる。さらに、ランダム経路は、ランダムアニメーションと置換されてもよく、ユーザは、ランダムアニメーションの再生に従ってタッチスクリーン上のランダムアニメーションを指によりタッチし、スライドするように指示され、電子装置は、ユーザがランダムアニメーションに追従してタッチスクリーン上でタッチ操作を実行した際に生成されたタッチ信号を受信した後のみ、ロックまたはロック解除動作を実行する。これにより、タッチグラフィックが入力された際にタッチスクリーン上に残された痕跡を除去することをユーザに強制して、タッチグラフィックによりロックまたはロック解除する際のセキュリティをさらに向上させる。図３Ａは、本発明の第５の実施形態による、タッチグラフィックによりロックおよびロック解除する方法のフローチャートである。図３Ｂは、本発明の第５の実施形態による、タッチグラフィックによりロック解除する方法におけるグラフィック受信インタフェースの概略図である。
【００５５】
ステップ３１：グラフィック受信インタフェース上の接続ポイントの位置をランダムに変更して、グラフィック受信インタフェースを出力する。
【００５６】
図３Ｂに示されるように、グラフィック受信インタフェースが生成されるたびに、グラフィック受信インタフェース上の９つポイントの相対位置がランダムに変更され、その結果、ユーザが描く度毎にその形跡痕跡は、手掛かりを与えないだろう。さらに、９つのポイントのシーケンスは変更されず、その位置のみが変更される。したがって、ユーザによって描かれる度毎に痕跡は大幅に変化し、描かれた痕跡は互いに何重にも交差し、識別することができない。そして、その痕跡は、タッチグラフィックに関するヒントを与えない。
【００５７】
ステップ３２：グラフィック受信インタフェースをタッチすることによってユーザにより入力されたタッチグラフィックを受信する。
【００５８】
ステップ３３：グラフィック受信インタフェースを通過するランダムなアニメーションをグラフィック受信インタフェース上に出力する。
【００５９】
電子装置は、グラフィック受信インタフェースを通過するランダムアニメーションをグラフィック受信インタフェース上に出力する。
【００６０】
ステップ３４：ランダムなアニメーションが再生されたときに、ランダムなアニメーションに従うタッチ操作を実行するようにユーザに指示するために用いられる第２の指示情報を出力する。
【００６１】
電子装置は、ランダムアニメーションが再生されたときにランダムアニメーションに追従してタッチ操作を実行するようにユーザに指示するために、グラフィック受信インタフェース上に第２の指示情報を出力する。
【００６２】
ユーザがタッチグラフィックを形成するために複数のポイントを接続した後であり、電子装置がロックまたはロック解除を実行する前（ステップ３５の前）に、電子装置は、ランダムアニメーションを再生し、ランダムアニメーションが再生されるに従って、ランダムアニメーションを指によりタッチし、スライドするようにユーザに指示してもよい。ランダムアニメーションの再生が完了した後、ステップ３５においてロックまたはロック解除動作が実行される。もちろん、上記のステップ３３および３４は、タッチグラフィックと共通のポイントを有するランダム経路をグラフィック受信インタフェース上に出力し、タッチスクリーン上のランダム経路に沿ったタッチ操作を実行するようにユーザに指示することと置換されてもよい。ユーザは、上記モードを用いることによりタッチスクリーンを拭き取ることを強制されてもよく、それによって、ユーザがタッチグラフィックを形成するために複数のポイントを接続した際にタッチスクリーン上に残された痕跡を除去または隠滅する。
【００６３】
ステップ３５：ランダムアニメーションに追従してタッチ操作をユーザが実行した際に生成されたタッチ信号を受信した後、タッチグラフィックにしたがってロックまたはロック解除動作を実行する。
【００６４】
電子装置が第２の指示情報を出力した後、ステップ３２においてタッチグラフィックを形成するために複数のポイントを接続した際にタッチスクリーン上に残された痕跡が除去または隠滅されたことを示す、ランダムアニメーションに追従したタッチ操作をユーザが実行するときに生成されたタッチ信号が受信された場合、電子装置は、ステップ３２において入力されたタッチグラフィックにしたがってロックまたはロック解除動作を実行する。
【００６５】
本発明の実施形態による、タッチグラフィックによりロックおよびロック解除する方法を用いることによって、ユーザがタッチグラフィックによりロックまたはロック解除を実行する場合に、タッチスクリーンを有する電子装置は、ユーザに対してランダムに変更された位置に接続ポイントを有するグラフィック受信インタフェースを提供し、グラフィック受信インタフェースを通じてユーザによって入力されたタッチグラフィックはそのたびに異なる位置にあり、その結果、タッチスクリーン上の痕跡によって形成されたタッチグラフィックが、ロックされるときに設定されるタッチグラフィックと同一である確率は極めて小さいので、ロックまたはロック解除のセキュリティが向上する。さらに、ユーザがタッチグラフィックを入力した後、電子装置は、また、ユーザに対してグラフィック受信インタフェースを通過するランダムアニメーションをグラフィック受信インタフェース上に出力し、ランダムアニメーションが再生された際にランダムアニメーションに追従してタッチ操作を実行するようにユーザに指示してもよい。電子装置は、ランダムアニメーションが再生されたときにランダムアニメーションに追従したタッチ操作をユーザが実行した際に生成されたタッチ信号を受信した後のみ、ロックまたはロック解除動作を実行し、それによって、ユーザがタッチグラフィックを入力するときにタッチスクリーン上に残された痕跡を除去することをユーザに強制し、タッチグラフィックによりロックまたはロック解除する際のセキュリティを向上させる。さらに、上記のランダムアニメーションもランダム経路と置換されてもよく、ユーザは、タッチスクリーン上のランダム経路に沿ってタッチ操作を実行し、電子装置は、タッチスクリーン上のランダム経路に沿ったタッチ操作をユーザが実行した際に生成されたタッチ信号を受信した後に、ロックまたはロック解除動作を実行することで、タッチグラフィックが入力された際にタッチスクリーン上に残された痕跡を除去することをユーザに強制し、タッチグラフィックによりロックまたはロック解除する際のセキュリティをさらに向上させる。
【００６６】
他の実施形態において、本発明の実施形態による、タッチグラフィックによりロックおよびロック解除する方法は、ランダムに変更されたグラフィック受信インタフェースを出力することによって痕跡を妨害しなくてもよいが、但し、ランダム経路および／またはランダムアニメーションを用いることによって痕跡を妨害し、その結果としてロックまたはロック解除のセキュリティを向上させる。具体的には、図１０Ａに示されるように、本発明の第６の実施形態による、タッチグラフィックによりロックおよびロック解除する方法は、以下のステップを含む。
【００６７】
ステップ１０１：グラフィック受信インタフェースを出力し、グラフィック受信インタフェースには通常、複数のタッチポイントが提供され、ユーザがタッチグラフィックを形成するためにタッチすることによって、グラフィック受信インタフェース上の複数のタッチポイントを接続する。ここでは、グラフィック受信インタフェース上の複数のタッチポイントの位置および座標方向は固定される。
【００６８】
ステップ１０２：グラフィック受信インタフェースをタッチすることによりユーザによって入力されたタッチグラフィックを受信する。ステップ１０２については、ステップ１２、ステップ２２、およびステップ３２などの他の実施形態の特定の実施を参照することができるので、詳細について本明細書において繰り返し説明しない。
【００６９】
ステップ１０２において、暗号化情報またはタッチスクリーンをロックするとき、ユーザは、電子装置によって提供されたグラフィック受信インタフェースを通じてタッチグラフィックを入力する。タッチグラフィックを受信した後、電子装置は、ユーザによって入力されたタッチグラフィックを格納し、それを、ユーザＩＤを検証するためのタッチグラフィックとして設定する。ユーザが電子装置内の暗号化情報を用いる必要があるか、またはタッチスクリーンを開く必要がある場合、ユーザは、電子装置によって提供されたグラフィック受信インタフェースを通じて、ロックした際に設定されたタッチグラフィックを入力して、ユーザＩＤの検証を電子装置に要求する。
【００７０】
ステップ１０３ａ：タッチグラフィックを横切るランダム経路をグラフィック受信インタフェース上に出力する。ステップ１０３ａについては、ステップ１Ｂ１およびステップ２３などの他の実施形態の特定の実施を参照できるので、詳細について、本明細書において繰り返し説明しない。
【００７１】
ステップ１０４ａ：ランダム経路に沿ったタッチ操作を実行するようにユーザに指示するために用いられる第１の指示情報を出力する。ステップ１０４ａについては、ステップ１Ｂ２およびステップ２４などの他の実施形態の特定の実施を参照できるので、詳細について、本明細書において繰り返し説明しない。
【００７２】
ステップ１０５：タッチグラフィックにしたがってロックまたはロック解除動作を実行する。ステップ１０５については、ステップ１３、ステップ２５、およびステップ３５などの他の実施形態の特定の実施を参照できるので、詳細について、本明細書において繰り返し説明しない。
【００７３】
ステップ１０５において、ランダム経路に沿ったタッチ操作をユーザが実行した際に生成されたタッチ信号が受信された後、ロックまたはロック解除動作が、タッチグラフィックにしたがって実行される。
【００７４】
さらに、図１０Ｂに示されるように、ステップ１０３ａおよび１０４ａは、ステップ１０３ｂおよび１０４ｂと置換されてもよい。ステップ１０３ｂ：グラフィック受信インタフェースを通過するランダムなアニメーションをグラフィック受信インタフェース上に出力する。ステップ１０４ｂ：ランダムなアニメーションが再生されたときに、ランダムなアニメーションに従うタッチ操作を実行するようにユーザに指示するために用いられる第２の指示情報を出力する。ステップ１０３ｂについては、ステップ１Ｃ１およびステップ３３などの他の実施形態の特定の実施を参照できるので、詳細について、本明細書において繰り返し説明しない。ステップ１０４ｂについては、ステップ１Ｃ２およびステップ３４などの他の実施形態の特定の実施を参照できるので、詳細について、本明細書において繰り返し説明しない。この場合、ステップ１０５において、ランダムアニメーションに追従してタッチ操作をユーザが実行した際に生成されたタッチ信号が受信された後、ロックまたはロック解除動作がタッチグラフィックにしたがって実行される。
【００７５】
または、図１０Ｃに示されるように、ステップ１０３ａおよび１０４ａは、ステップ１０３ｃ：タッチスクリーン上のタッチグラフィックの痕跡を積極的に拭き取るようにユーザに指示するために用いられる第３の指示情報を出力する、と置換されてもよい。この場合、ステップ１０５において、タッチスクリーン上のタッチグラフィックの痕跡をユーザが拭き取った際に生成されたタッチ信号が受信された後、ロックまたはロック解除動作がタッチグラフィックにしたがって実行される。
【００７６】
もちろん、他の実施形態において、ステップ１０３ａ、１０４ａ、およびステップ１０３ｂ、１０４ｂは両立してもよく、その実行順は限定されない。さらに、ステップ１０２において、タッチすることによってグラフィック受信インタフェース上のロックおよびロック解除するためのタッチグラフィックを入力するようにユーザに指示するための第４の指示情報があれば、ステップ１０２、ステップ１０３ａ、１０４ａ、およびステップ１０３ｂ、１０４ｂではそれぞれ指示情報が提供されるので、ユーザは、様々なステップにおいて入力するべき内容に混乱しないであろう。したがって、ステップ１０２、ステップ１０３ａ、１０４ａ、およびステップ１０３ｂ、１０４ｂの実行順は限定されない。
【００７７】
本発明の実施形態による、タッチグラフィックによりロックおよびロック解除する方法を用いることによって、ユーザがタッチグラフィックによりロックまたはロック解除を実行する場合に、タッチスクリーンを有する電子装置は、ユーザに対して固定された接続ポイントを有するグラフィック受信インタフェースを出力する。ユーザがタッチグラフィックを入力した後、電子装置は、さらに、ユーザに対してグラフィック受信インタフェースを通過するランダムアニメーションをグラフィック受信インタフェース上に出力し、ランダムアニメーションが再生されたときにランダムアニメーションに追従してタッチ操作を実行するようにユーザに指示するか、電子装置は、ユーザに対してタッチグラフィックに共通するポイントを有するランダム経路をグラフィック受信インタフェース上に出力し、タッチスクリーン上のランダム経路に沿ったタッチ操作を実行するようにユーザに指示すること、及び、電子装置がタッチスクリーン上のタッチグラフィックの痕跡を積極的に拭き取るようにユーザに指示するために第３の指示情報を出力すること、の少なくとも１つを実施してもよい。ユーザがランダム経路に沿ってランダムアニメーションに追従したタッチ操作を実行したか、第３の指示情報に従った際に生成されたタッチ信号を受信した後にのみ、電子装置は、ロックおよびロック解除する動作を実行し、それによって、タッチグラフィックが入力されるときにタッチスクリーン上に残された痕跡を除去することをユーザに強制して、タッチグラフィックによりロックまたはロック解除する際のセキュリティを向上させる。
【００７８】
図４は、本発明の第１の実施形態による、タッチグラフィックによりロックおよびロック解除する装置の概略構成図である。図４に示されるように、本実施形態は、インタフェース出力モジュール４１と、受信モジュール４２と、ロック／ロック解除モジュール４３とを含む。
【００７９】
インタフェース出力モジュール４１は、ランダムに変更されたグラフィック受信インタフェースを出力するように構成される。
【００８０】
受信モジュール４２は、インタフェース出力モジュール４１によって出力されたグラフィック受信インタフェースをタッチすることによってユーザによって入力されたタッチグラフィックを受信するように構成される。
【００８１】
ロック／ロック解除モジュール４３は、受信モジュール４２によって受信されたタッチグラフィックにしたがってロックまたはロック解除動作を実行するように構成される。
【００８２】
上記のモジュールの特定の動作については、図１Ａに対応する実施形態における説明を参照できるので、本明細書において繰り返しの説明は行わない。
【００８３】
本発明の実施形態による、タッチグラフィックによりロックおよびロック解除する装置を用いることによって、ユーザがタッチグラフィックによりロックまたはロック解除を実行する場合に、インタフェース出力モジュール４１は、ユーザに対してランダムに変更されたグラフィック受信インタフェースを提供し、グラフィック受信インタフェースを通じてユーザによって入力されるタッチグラフィックはその都度、異なる位置および／または方向に配置される。タッチスクリーン上の痕跡によって形成されたタッチグラフィックが、ロックされたときに設定されたタッチグラフィックと同一であるという確率は極めて小さいので、ロックまたはロック解除のセキュリティが向上する。
【００８４】
図５は、本発明の第２の実施形態による、タッチグラフィックによりロックおよびロック解除する装置の概略構成図である。図５に示されるように、インタフェース出力モジュール４１は、座標変更部４１１および／または位置変更部４１２を含む。
【００８５】
座標変更部４１１は、インタフェース出力モジュール４１によって出力されたグラフィック受信インタフェースの座標方向をランダムに変更し、そのグラフィック受信インタフェースを出力するように構成される。座標変更部４１１の動作原理については、図２Ａに対応する実施形態における説明を参照できるので、本明細書において繰り返しの説明は行わない。
【００８６】
位置変更部４１２は、インタフェース出力モジュール４１によって出力されたグラフィック受信インタフェース上の接続ポイントの位置をランダムに変更し、そのグラフィック受信インタフェースを出力するように構成される。位置変更部４１２の動作原理については、図３Ａに対応する実施形態における説明を参照できるので、本明細書において繰り返しの説明は行わない。
【００８７】
本発明の実施形態による、タッチグラフィックによりロックおよびロック解除する装置を用いることによって、ユーザがタッチグラフィックによりロックまたはロック解除を実行する場合に、インタフェース出力モジュール４１は、ユーザに対してランダムに変更されたグラフィック受信インタフェースを提供し、グラフィック受信インタフェースを通じてユーザによって入力されるタッチグラフィックはその都度、異なる位置および／または方向に配置される。タッチスクリーン上の痕跡によって形成されたタッチグラフィックが、ロックされたときに設定されたタッチグラフィックと同一であるという確率は極めて小さいので、ロックまたはロック解除のセキュリティが向上する。
【００８８】
図６は、本発明の第３の実施形態による、タッチグラフィックによりロックおよびロック解除する装置の概略構成図である。図６に示されるように、図４または図５に対応する実施形態に基づいて、本実施形態は、経路出力モジュール４４と、第１の指示モジュール４５とをさらに含む。
【００８９】
経路出力モジュール４４は、受信モジュール４２によって受信されたタッチグラフィックと横切るランダム経路をグラフィック受信インタフェース上に出力するように構成される。
【００９０】
第１の指示モジュール４５は、経路出力モジュール４４によって出力されたランダム経路に沿ったタッチ操作を実行するようにユーザに指示するために用いられる第１の指示情報を出力する。
【００９１】
ロック／ロック解除モジュール４３は、経路出力モジュール４４によって出力されたランダム経路に沿ったタッチ操作をユーザが実行した際に生成されたタッチ信号を受信した後、受信モジュール４２によって受信されたタッチグラフィックにしたがってロックまたはロック解除動作を実行するようにさらに構成される。
【００９２】
上記のモジュールの特定の動作については、図２Ａに対応する実施形態における説明を参照できるので、本明細書において繰り返しの説明は行わない。
【００９３】
本発明の実施形態によるタッチグラフィックによりロックおよびロック解除するために本装置を用いることによって、ユーザがタッチグラフィックを入力した後、経路出力モジュール４４は、ユーザに対してタッチグラフィックと共通するポイントを有するランダム経路をグラフィック受信インタフェース上に出力し、第１の指示モジュール４５は、ランダム経路に沿ってタッチスクリーン上でタッチ操作を実行するようにユーザに指示し、それによって、タッチグラフィックが入力された際にタッチスクリーン上に残された痕跡を除去することをユーザに強制する。ランダム経路に沿ったタッチスクリーン上のタッチ操作をユーザが実行した際に生成されたタッチ信号を受信した後にのみ、ロック／ロック解除モジュール４３は、ロックまたはロック解除動作を実行し、それにより、タッチグラフィックによりロックまたはロック解除する際のセキュリティがさらに向上する。
【００９４】
図７は、本発明の第４の実施形態による、タッチグラフィックによりロックおよびロック解除する装置の概略構成図である。図７に示されるように、図４、図５、または図６に対応する実施形態に基づいて、この実施形態は、アニメーション再生モジュール４６と、第２の指示モジュール４７とをさらに含む。
【００９５】
アニメーション再生モジュール４６は、グラフィック受信インタフェースを通過するランダムアニメーションをグラフィック受信インタフェース上に出力するように構成される。
【００９６】
第２の指示モジュール４７は、アニメーション再生モジュール４６がランダムアニメーションを再生したときにランダムアニメーションに追従したタッチ操作を実行するようにユーザに指示するために用いられる第２の指示情報を出力する。
【００９７】
ロック／ロック解除モジュール４３は、アニメーション再生モジュール４６によって再生されたランダムアニメーションに追従するタッチ操作をユーザが実行した際に生成されたタッチ信号を受信した後、タッチグラフィックにしたがってロックまたはロック解除動作を実行するようにさらに構成される。
【００９８】
上記のモジュールの特定の動作については、図３Ａに対応する実施形態における説明を参照できるので、本明細書において繰り返しの説明は行わない。
【００９９】
本発明の実施形態によるタッチグラフィックによりロックおよびロック解除するために本装置を用いることによって、ユーザがタッチグラフィックを入力した後、アニメーション再生モジュール４６は、ユーザに対してグラフィック受信インタフェースを通過するランダムアニメーションをグラフィック受信インタフェース上でさらに再生し、第２の指示モジュール４７は、ランダムアニメーションが再生されたときにアニメーションに追従したタッチ操作を実行するようにユーザに指示する。ロック／ロック解除モジュール４３は、ランダムアニメーションが再生されたときにランダムアニメーションに追従したタッチ操作をユーザが実行した際に生成されたタッチ信号を受信した後にのみ、ロックまたはロック解除動作を実行し、それによって、ユーザがタッチグラフィックを入力するときにタッチスクリーン上に残された痕跡を除去することをユーザに強制して、タッチグラフィックによりロックまたはロック解除する際のセキュリティをさらに向上させる。
【０１００】
図８は、本発明の第５の実施形態による、タッチグラフィックによりロックおよびロック解除する装置の概略構成図である。図８に示されるように、図４、図５、図６、または図７に対応する実施形態に基づいて、この実施形態は、第３の指示モジュール４８をさらに含む。
【０１０１】
第３の指示モジュール４８は、タッチスクリーン上のタッチグラフィックの痕跡を積極的に拭き取るようにユーザに指示するための第３の指示情報を出力するように構成される。
【０１０２】
ロック／ロック解除モジュール４３は、タッチスクリーン上のタッチグラフィックの痕跡をユーザが拭き取った際に生成されたタッチ信号を受信した後に、タッチグラフィックにしたがってロックまたはロック解除動作を実行するようにさらに構成される。
【０１０３】
本発明の実施形態によるタッチグラフィックによりロックおよびロック解除するために本装置を用いることによって、ユーザがタッチグラフィックを入力した後、第３の指示モジュール４８は、タッチスクリーン上のタッチグラフィックの痕跡を積極的に拭き取るようにユーザに指示する。タッチスクリーン上のタッチグラフィックの痕跡をユーザが拭き取った際に生成されたタッチ信号を受信した後にのみ、ロック／ロック解除モジュール４３は、ロックまたはロック解除動作を実行し、それによって、タッチグラフィックが入力されるときにタッチスクリーン上に残された痕跡を除去することをユーザに強制して、タッチグラフィックによりロックまたはロック解除する際のセキュリティをさらに向上させる。
【０１０４】
図１１Ａ、図１１Ｂ、および図１１Ｃは、本発明の第６の実施形態による、タッチグラフィックによりロックおよびロック解除する装置の概略構成図である。第６の実施形態において、図１１Ａに示されるように、タッチグラフィックによりロックおよびロック解除する装置は、インタフェース出力モジュール１１１と、受信モジュール１１２と、ロック／ロック解除モジュール１１３とを含む。
【０１０５】
インタフェース出力モジュール１１１は、グラフィック受信インタフェースを出力するように構成される。ここで、グラフィック受信インタフェースには通常、複数のタッチポイントが提供され、ユーザは、タッチグラフィックを形成するためにタッチすることによって、グラフィック受信インタフェース上の複数のタッチポイントを接続する。ここでは、グラフィック受信インタフェース上の複数のタッチポイントの位置および座標方向は固定される。
【０１０６】
受信モジュール１１２は、インタフェース出力モジュール１１１によって出力されたグラフィック受信インタフェースをタッチすることによってユーザによって入力されたタッチグラフィックを受信するように構成される。
【０１０７】
ロック／ロック解除モジュール１１３は、受信モジュール１１２によって受信されたタッチグラフィックにしたがってロックまたはロック解除動作を実行するように構成される。
【０１０８】
上記のモジュールの特定の動作については、図１０Ａおよび図１０Ｂの第６の実施形態における対応する説明を参照できるので、本明細書において繰り返しの説明は行わない。
【０１０９】
さらに、図１１Ａに示されるように、本実施形態による、タッチグラフィックによりロックおよびロック解除する装置は、経路出力モジュール１１４と第１の指示モジュール１１５とをさらに含んでもよい。経路出力モジュール１１４は、受信モジュール１１２によって受信されたタッチグラフィックを横切るランダム経路をグラフィック受信インタフェース上に出力するように構成される。第１の指示モジュール１１５は、経路出力モジュール１１４によって出力されたランダム経路に沿ったタッチ操作を実行するようにユーザに指示するために用いられる第１の指示情報を出力する。ロック／ロック解除モジュール１１３は、経路出力モジュール１１４によって出力されたランダム経路に沿ってユーザがタッチ操作を実行した際に生成されたタッチ信号を受信した後、受信モジュール１１２によって受信されたタッチグラフィックにしたがってロックまたはロック解除動作を実行するように特に構成される。
【０１１０】
または、図１１Ｂに示されるように、本実施形態による、タッチグラフィックによりロックおよびロック解除する装置は、アニメーション再生モジュール１１６と第２の指示モジュール１１７とをさらに含んでもよい。アニメーション再生モジュール１１６は、グラフィック受信インタフェースを通過するランダムアニメーションをグラフィック受信インタフェース上に出力するように構成される。第２の指示モジュール１１７は、アニメーション再生モジュール１１６がランダムアニメーションを再生したときにランダムアニメーションに追従したタッチ操作を実行するようにユーザに指示するために用いられる第２の指示情報を出力する。ロック／ロック解除モジュール１１３は、アニメーション再生モジュール１１６によって再生されたランダムアニメーションを追従するタッチ操作をユーザが実行した際に生成されたタッチ信号を受信した後、タッチグラフィックにしたがってロックまたはロック解除動作を実行するように特に構成される。
【０１１１】
または、図１１Ｃに示されるように、本実施形態による、タッチグラフィックによりロックおよびロック解除する装置は、第３の指示モジュール１１８をさらに含んでもよい。第３の指示モジュール１１８は、タッチスクリーン上のタッチグラフィックの痕跡を積極的に拭き取るようにユーザに指示するための第３の指示情報を出力するように構成される。ロック／ロック解除モジュール１１３は、タッチスクリーン上のタッチグラフィックの痕跡をユーザが拭き取った際に生成されたタッチ信号を受信した後に、タッチグラフィックにしたがってロックまたはロック解除動作を実行するように特に構成される。
【０１１２】
本発明の実施形態による、タッチグラフィックによりロックおよびロック解除する装置を用いることによって、ユーザがタッチグラフィックによりロックまたはロック解除を実行する場合に、タッチグラフィックによりロックおよびロック解除する装置は、ユーザに対して固定された接続ポイントを有するグラフィック受信インタフェースを提供する。ユーザがタッチグラフィックを入力した後、タッチグラフィックによりロックおよびロック解除する装置は、さらに、グラフィック受信インタフェースを通過するランダムアニメーションをユーザに対してグラフィック受信インタフェース上に出力し、ランダムアニメーションが再生されたときにランダムアニメーションに追従してタッチ操作を実行するようにユーザに指示するか、ユーザに対してタッチグラフィックに共通するポイントを有するランダム経路をグラフィック受信インタフェース上に出力し、タッチスクリーン上のランダム経路に沿ってタッチ操作を実行するようにユーザに指示するか、タッチスクリーン上のタッチグラフィックの痕跡を積極的に拭き取るようにユーザに指示するために第３の指示情報を出力するか、の少なくとも１つを実施してもよい。そして、ユーザがランダム経路に沿ってランダムアニメーションに追従して、または第３の指示情報に追従してタッチ操作を実行した際に生成されたタッチ信号を受信した後にのみ、ロックおよびロック解除する動作を実行し、それによって、タッチグラフィックが入力された際にタッチスクリーン上に残された痕跡を除去することをユーザに強制して、タッチグラフィックによりロックまたはロック解除する際のセキュリティをさらに向上させる。
【０１１３】
当業者は、本発明の実施形態による方法のすべてまたは一部のステップが、関連するハードウェアに命令するプログラムによって実行されてもよいことを理解するだろう。プログラムは、コンピュータ読み取り可能な記憶媒体に記憶されてもよい。プログラムが動作すると、実施形態による方法の各ステップが実行される。記憶媒体は、ＲＯＭ、ＲＡＭ、磁気ディスク、またはＣＤ−ＲＯＭなどのプログラムコードを格納することができるあらゆる媒体であってもよい。
【０１１４】
最後に、本発明の実施形態は、本発明を限定するのではなく、本発明の技術的解決手段を記述するように意図されることに留意されたい。前述の実施形態に関連して本発明が詳細に記述されるが、当業者は、それらがさらに前述の実施形態に記載された技術的解決手段に対する改良をすることができる、または、本発明の実施形態の技術的解決手段の精神および趣旨から逸脱せずに、そのいくつかの技術的特徴と同等の置換を行なうことができることを理解されたい。
【図１Ａ】
0005634612.tif 000002
【図１Ｂ】
0005634612.tif 000003
【図１Ｃ】
0005634612.tif 000004
【図２Ａ】
0005634612.tif 000005
【図２Ｂ】
0005634612.tif 000006
【図２Ｃ】
0005634612.tif 000007
【図２Ｄ】
0005634612.tif 000008
【図３Ａ】
0005634612.tif 000009
【図３Ｂ】
0005634612.tif 000010
【図４】
0005634612.tif 000011
【図５】
0005634612.tif 000012
【図６】
0005634612.tif 000013
【図７】
0005634612.tif 000014
【図８】
0005634612.tif 000015
【図９】
0005634612.tif 000016
【図１０Ａ】
0005634612.tif 000017
【図１０Ｂ】
0005634612.tif 000018
【図１０Ｃ】
0005634612.tif 000019
【図１１Ａ】
0005634612.tif 000020
【図１１Ｂ】
0005634612.tif 000021
【図１１Ｃ】
0005634612.tif 000022